(57)【要約】【課題】本発明は、情報に広告を付加して配信する広告配信方法および広告配信プログラムに関し、顧客の端末からサーバに購読要求があったときに当該顧客の契約条件に合う広告を抽出して情報に付加して提供し、顧客毎に最適な広告を情報に付加して提供することを目的とする。【解決手段】顧客の端末からの情報の配信要求を受信するステップと、受信した配信要求のあった顧客の条件に合う広告を抽出するステップと、配信要求のあった情報に、抽出した広告を付加するステップと、情報と当該情報に付加した広告を、顧客の端末に配信するステップとを有する。【選択図】  図１
2005004620.tif 000002
【特許請求の範囲】
【請求項１】
情報に広告を付加して配信する広告配信方法において、
顧客の端末からの情報の配信要求を受信するステップと、
前記受信した配信要求のあった顧客の条件に合う広告を抽出するステップと、
前記配信要求のあった情報に、前記抽出した広告を付加するステップと、
前記情報と当該情報に付加した広告を、前記顧客の端末に配信するステップとを有する広告配信方法。
【請求項２】
前記広告を抽出する条件として、日、曜日、時間帯、性別、年代、趣味のいずれか１つ以上としたことを特徴とする請求項１記載の広告配信方法。
【請求項３】
前記受信した配信要求のあった顧客について、当該顧客が登録した地域情報提供者が複数あるときに、前記情報に付加して配信した広告の回数を集計し、購読料などの料金を当該回数をもとに地域情報提供者毎に配分することを特徴とする請求項１あるいは請求項２記載の広告配信方法。
【請求項４】
前記顧客の条件に合う広告について、指定されたときあるいは所定時間となったときに自動的に該当顧客に配信することを特徴とする請求項１から請求項３のいずれかに記載の広告配信方法。
【請求項５】
コンピュータに、
顧客の端末からの情報の配信要求を受信するステップと、
前記受信した配信要求のあった顧客の条件に合う広告を抽出するステップと、
前記配信要求のあった情報に、前記抽出した広告を付加するステップと、
前記情報と当該情報に付加した広告を、前記顧客の端末に配信するステップとして動作させるための広告配信プログラム。
【発明の詳細な説明】
【０００１】
【発明の属する技術分野】
本発明は、情報に広告を付加して配信する広告配信方法および広告配信プログラムに関するものである。
【０００２】
【従来の技術】
従来、顧客がネットワークを介してサーバに接続して電子新聞をダウンロードして購読し、購読料を支払うことが行われている。
【０００３】
この際、電子新聞には、記事情報に加えて広告を掲載し、両者を一緒にして顧客にダウンロードさせて電子新聞として購読させることが行われている（特許文献１）。
【０００４】
【特許文献１】
特開平９−５０４４１号公報の〔０００７〕〜〔０００９〕および図１参照。
【０００５】
【発明が解決しようとする課題】
上述した記事情報と広告を一緒にした電子新聞を一律に顧客にダウンロードさせて購読させる技術では、紙の新聞を新聞社が販売店を経由して顧客に販売し、販売店が顧客から購読料を集金したり、顧客に接して収集した各種ローカルな情報を活かして当該地域に有効な広告を新聞に折り込んで配達したりすることができなくなってしまうという問題があった。
【０００６】
本発明は、これらの問題を解決するため、顧客の端末からサーバに購読要求があったときに当該顧客の契約条件に合う広告を抽出して情報に付加して提供し、顧客毎に最適な広告を情報に付加して提供することを目的としている。
【０００７】
【課題を解決するための手段】
図１を参照して課題を解決するための手段を説明する。
【０００８】
図１において、情報配信サーバ１は、情報を配信などするものであって、ここでは、抽出手段１４、情報配信手段１７、配分手段１８などから構成されるものである。
【０００９】
抽出手段１４は、配信要求のあった顧客の条件に合う広告を抽出したりなどするものである。
【００１０】
情報配信手段１７は、配信要求のあった情報と当該情報に付加した広告を、該当顧客の情報端末３に配信したりなどするものである。
【００１１】
配分手段１８は、配信要求のあった顧客について、配信した広告の回数を集計し、購読料などの料金を地域情報提供者に配分したりなどするものである。
【００１２】
情報端末３は、顧客が操作して情報を、情報配信サーバ１に要求して配信を受けるものである。
【００１３】
次に、動作を説明する。
情報配信サーバ１を構成する抽出手段１４が顧客の情報端末３から配信要求のあった当該顧客の条件をチェックして当該条件に合う広告を抽出し、情報配信手段１７が配信要求のあった情報に、抽出した広告を付加し、顧客の情報端末３に配信するようにしている。
【００１４】
この際、広告を抽出する条件として、日、曜日、時間帯、性別、年代、趣味のいずれか１つ以上とするようにしている。
【００１５】
また、配分手段１８が受信した配信要求のあった顧客について、顧客が登録した地域情報提供者が複数あるときに、情報に付加して配信した広告の回数を集計し、購読料などの料金を回数をもとに地域情報提供者毎に配分するようにしている。
【００１６】
また、情報配信手段１７が顧客の条件に合う広告について、指定されたときあるいは所定時間となったときに自動的に該当顧客に配信するようにしている。
【００１７】
また、情報配信手段１７が顧客の情報端末３に配信する情報および広告について、当該顧客の登録されている表示形式に編集して配信するようにしている。
【００１８】
従って、顧客の情報端末３から情報配信サーバ１に配信要求があったときに当該顧客の契約条件に合う広告を抽出して情報に付加して提供することにより、顧客毎に最適な広告を情報に付加して提供することが可能となる。
【００１９】
【発明の実施の形態】
次に、図１から図７を用いて本発明の実施の形態および動作を順次詳細に説明する。
【００２０】
図１は、本発明のシステム構成図を示す。
図１において、情報配信サーバ１は、プログラムに従い各種処理を行うものであって、情報を配信などするものであり、ここでは、ユーザ管理ＤＢ１１、情報端末管理ＤＢ１２、参照回数計数手段１３、抽出手段１４、ユーザ情報端末チェック手段１６、情報配信手段１７、配分手段１８、および参照回数計数手段１９などから構成されるものである。
【００２１】
ユーザ管理ＤＢ１１は、顧客のユーザＩＤに対応づけて、個人情報（アカウント、パスワード、名前、住所、性別、趣味など）および契約条件などを登録したものである。
【００２２】
情報端末管理ＤＢ１２は、顧客の情報端末の情報（画面割、色数、サイズなど）を登録して管理するものである（図７の（ｂ）参照）。
【００２３】
参照回数計数ＤＢ１３は、顧客からの情報、広告の参照した回数を登録して管理するものである（図６の（ｄ）参照）。
【００２４】
抽出手段１４は、顧客の契約条件をもとに広告を抽出するものであって、ここでは、契約条件チェック手段１５および地域情報提供者抽出手段１５’などから構成されるものである。
【００２５】
契約条件チェック手段１５は、ユーザ管理ＤＢ１１などを参照して顧客の契約条件をチェックしたりなどするものである。
【００２６】
地域情報提供者抽出手段１５’は、ユーザ管理ＤＢ１１などを参照して顧客の登録している地域情報提供者を抽出したりなどするものである。
【００２７】
ユーザ情報端末チェック手段１６は、顧客の情報端末３の情報（ディスプレイの分解能、色数、サイズ、表示の画面分割（左右、上下分割）など）を図示外の予め登録されている情報を参照してチェックするものである。
【００２８】
情報配信手段１７は、配信要求のあった情報と当該情報に付加した広告を、該当顧客の情報端末３に配信したりなどするものである。
【００２９】
参照回数計数手段１８は、顧客に配信した情報、広告の回数を計数するものである。
【００３０】
配分手段１９は、配信要求のあった顧客について、配信した広告の回数を集計し、購読料などの料金を地域情報提供者に配分したりなどするものである。
【００３１】
折り込み広告配信サーバ２は、地域情報提供者の店舗などに設置するサーバであって、ここでは、ユーザ管理ＤＢ２１、参照回数計数ＤＢ２２、広告契約条件チェック手段２３、参照回数計数手段２４などから構成されるものである。
【００３２】
ユーザ管理ＤＢ２１は、地域情報提供者が獲得（契約）した顧客のユーザＩＤに対応づけて、個人情報（アカウント、パスワード、名前、住所、性別、趣味など）および契約条件などを登録したものである。
【００３３】
参照回数計数ＤＢ２２は、地域情報提供者が獲得（契約）した顧客からの情報、広告の参照した回数を登録して管理するものである（図６の（ｄ）参照）。
【００３４】
広告契約条件チェック手段２３は、広告登録ＤＢ（図６の（ａ））などを参照して広告主との間で契約した広告契約条件をチェックするものである。
【００３５】
参照回数計数手段２４は、地域情報提供者が獲得（契約）した顧客に配信した情報、広告の回数を計数するものである。
【００３６】
情報端末３は、情報配信サーバ１に接続して情報、広告をダウンロードして表示し、購読するための端末である。
【００３７】
地域の広告主４は、地域情報提供者（販売代理店）に当該地域の広告を依頼する人である（情報に付加して配布依頼し、その対価を払う依頼人）。
【００３８】
次に、図２のフローチャートの順番に従い、図１の構成の動作を詳細に説明する。
【００３９】
図２は、本発明の動作説明フローチャート（その１）を示す。ここで、サーバ（情報提供者）１、サーバ（地域情報提供者Ａ）２、端末（ユーザ）３は、それぞれ図１の情報配信サーバ１、折り込み広告配信サーバ２、情報端末３にそれぞれ対応するものである。
【００４０】
図２において、Ｓ１は、広告主が地域情報提供者Ａに広告依頼する。
Ｓ２は、Ｓ１の広告を依頼を受けた地域情報提供者Ａがサーバ（地域情報提供者Ａ）２で広告を作成する（あるいは既に作成された電子データの広告を取り込む）。
【００４１】
Ｓ３は、折込広告を登録する。
以上のＳ１からＳ３により、地域情報提供者Ａの配信サーバには、当該地域情報提供者Ａの配達（配信）区域内のユーザ（顧客）に広告の配達（配信）を希望する広告主の広告が登録されたこととなる。
【００４２】
Ｓ４は、ユーザが端末（ユーザ）３を操作して購読依頼をサーバ（地域情報提供者Ａ）２に送信する。例えば、端末（ユーザ）３の画面上にブラウザを表示して所定ＵＲＬを入力して送信し、サーバ（地域情報提供者Ａ）２内のＷＷＷサーバのホームページを画面上にダウンロードして表示し、購読依頼を選択して購読依頼メニューを表示させ、ユーザの情報などを入力して購読依頼ボタンを押下し、購読依頼する。
【００４３】
Ｓ５は、ユーザをユーザ管理ＤＢへ登録する。これは、Ｓ４で購読依頼を受けたサーバ（地域情報提供者Ａ）２が購読依頼を受けたユーザの個人情報（アカウント、パスワード、氏名、住所、性別、趣味など）および契約条件（地域情報提供者Ａ、契約情報（紙面）、契約期間、配信日時など）を後述する図６の（ｂ）に示すように登録する。
【００４４】
Ｓ６は、ユーザの登録依頼する。これは、サーバ（地域情報提供者Ａ）２がセンタのサーバ（情報提供者）１に送信して登録依頼する。
【００４５】
Ｓ７は、ユーザをユーザ管理ＤＢへ登録する。これは、Ｓ６で登録依頼を受けたユーザについて、全てのユーザの情報を登録したユーザ管理ＤＢ１１に追加登録する。
【００４６】
以上のＳ４からＳ７により、ユーザの情報（個人情報および契約情報）がサーバ（地域情報提供者Ａ）２のユーザ管理ＤＢ２１およびサーバ（情報提供者）１のユーザ管理ＤＢ１１に登録されたこととなる。
【００４７】
Ｓ８’は、ユーザが端末（ユーザ）３を操作して情報の参照依頼をサーバ（情報提供者）１に送信する。
【００４８】
Ｓ８は、ユーザ認証する。これは、Ｓ８’で、ユーザから送信されてきた情報（アカウント、パスワード）をもとにユーザ管理ＤＢ１１を参照してユーザ認証を行う。
【００４９】
Ｓ９は、登録ユーザか判別する。これは、Ｓ８のユーザ認証で、ユーザ管理ＤＢ１１に登録されているユーザ（アカウント、パスワードが登録されているユーザ）か判別する。ＹＥＳの場合には、Ｓ１０に進む。ＮＯの場合には、エラーを返送してユーザの端末３の画面上にエラーメッセージを表示させる。
【００５０】
Ｓ１０は、契約条件チェックする。これは、後述する図３の▲１▼（Ｓ３２からＳ３６）の手順により、ユーザ管理ＤＢ１１の当該ユーザの契約条件（図６の（ｂ）のユーザ管理ＤＢ１１の契約条件）をチェックし、ユーザから購読依頼のあった情報（電子新聞など）が契約されている（契約されて、契約期間内）かチェックする。
【００５１】
Ｓ１１は、条件を満たすか判別する。これは、ユーザから購読依頼のあった情報（電子新聞など）が契約条件を満たすか判別（購読期間内かなどの契約条件を満たす）か判別する。ＹＥＳの場合には、Ｓ１２に進む。ＮＯの場合には、エラーを返送してユーザの端末３の画面上にエラーメッセージを表示させる。
【００５２】
Ｓ１２は、地域情報提供者を抽出する。これは、後述する図３の▲２▼のＳ４２からＳ４４により、ユーザ管理ＤＢ１１中の当該ユーザの契約条件に登録されている地域情報提供者（ここでは、ユーザの地域の情報の配達（配信）を担当している地域情報提供者Ａ）を抽出する。
【００５３】
Ｓ１３は、地域情報提供者を抽出できたか判別する。ＹＥＳの場合には、広告を情報（電子新聞）に付加する地域情報提供者が存在すると判明したので、Ｓ１４に進む。ＮＯの場合には、地域情報提供者が登録されていなかったので、ここでは、広告を情報に付加して配信することなく、情報（電子新聞など）を単独に、Ｓ２２で情報配信し、Ｓ２３で端末（ユーザ）３の画面上に表示（ここでは、広告のない情報（電子新聞など）を表示し、ユーザが購読する。
【００５４】
Ｓ１４は、広告配置を依頼する。
Ｓ１５は、ユーザ認証する。これは、Ｓ１２、Ｓ１３のＹＥＳ，Ｓ１４で通知を受けた地域情報提供者Ａのサーバ２が当該ユーザの情報（アカウント、パスワード）をもとにユーザ管理ＤＢ２１を参照してユーザが登録されているかチェックする。
【００５５】
Ｓ１６は、登録ユーザか判別する。これは、Ｓ１５のチェックの結果、登録されているユーザか判別する。ＹＥＳの場合には、Ｓ１７に進む。ＮＯの場合には、エラーを返送し、サーバ（情報提供者）１がＳ２２で広告のみの配信を行い、Ｓ２３で端末（ユーザ）３の画面上に表示（ここでは、広告のない情報（電子新聞など）を表示）し、ユーザが購読する。
【００５６】
Ｓ１７は、広告契約条件をチェックする。これは、後述する図３の▲３▼のＳ５２からＳ５８により、ここでは、サーバ（値域情報提供者Ａ）２が広告主から依頼を受けた広告を登録した図示外のデータベース中の広告契約条件を検索して該当する広告があるかチェックする。
【００５７】
Ｓ１８は、条件を満たすか判別する。これは、Ｓ１７のチェックで、条件を満たす広告があるか判別する。ＹＥＳの場合には、Ｓ１９で条件を満たす広告データを抽出し、Ｓ２０で広告データをサーバ（情報提供者）１に返信する。一方、Ｓ１８のＮＯの場合には、ユーザに配信する広告が見つからなかったので、エラーを返送し、サーバ（情報提供者）１がＳ２２で情報のみの配信を行い、Ｓ２３で端末（ユーザ）３の画面上に表示（ここでは、広告のない情報（電子新聞など）を表示）し、ユーザが購読する。
【００５８】
以上のＳ１５からＳ２０により、ユーザの配達（配信）の地域内を管理する値域情報提供者Ａのサーバ２がユーザ管理ＤＢ２１中の個人情報（性別、趣味など）を参照し、図示外の広告データＤＢ中に登録されている広告の広告契約条件（広告の配布先が女性、趣味が料理など）に合致するか判別し、当該ユーザが条件を満たすときにのみ当該広告を配信すると決定し、その広告データを取り出してサーバ（情報提供者）１に送信することが可能となる。
【００５９】
Ｓ２１は、広告データを受信する。
Ｓ２２は、情報配信する。これは、Ｓ２１で受信した広告データを、ユーザが購読依頼した情報（電子新聞の記事情報）に付加（折込広告として付加）し、当該情報および広告を配信する。
【００６０】
Ｓ２３は、Ｓ２２で配信された情報（例えば後述する図７の（ａ））をユーザが画面上に表示し、購読する。
【００６１】
図３は、本発明の動作説明フローチャート（その２）を示す。
図３において、▲１▼の契約条件チェック手段は、既述した図２のＳ１０の処理を実行するものであって、Ｓ３２からＳ３６の処理を行うものである。
【００６２】
Ｓ３２は、提供する情報のチェックを行う。これは、ユーザから購読依頼を受けた情報が、図６の（ｂ）のユーザ管理ＤＢ１１中の当該ユーザの契約条件を参照し、提供する情報（契約情報（例えば紙面））であるかチェックする。
【００６３】
Ｓ３３は、情報があるか判別する。これは、Ｓ３２のチェックで当該ユーザに提供する情報が契約条件の中にあるか判別する。ＹＥＳの場合には、Ｓ３４に進む。ＮＯの場合には、Ｓ３６のエラーとする。
【００６４】
Ｓ３４は、契約期間、日時のチェックする。これは、Ｓ３３のＹＥＳで、ユーザから購読依頼を受けた情報が、図６の（ａ）のユーザ管理ＤＢ１１中の当該ユーザの契約条件を参照し、提供する情報（契約情報（例えば紙面））であると判明したので、更に、契約期間、日時などの他の条件のチェックを行う。
【００６５】
Ｓ３５は、条件を満たすか判別する。これは、Ｓ３４の条件のチェックの結果、条件を満たすか判別する。ＹＥＳの場合には条件を満たすとし、一方、Ｓ３６のエラーの場合には条件を満たさないとし、既述した図２のＳ１１に戻る（進む）。そして、Ｓ１１で条件を満たすか判別し、満たすときにはＳ１２以降で情報あるいは情報と広告をユーザに配信し、一方、満たさないときはエラーをユーザに返信する。
【００６６】
以上によって、ユーザから購読依頼があったときに、ユーザ管理ＤＢ１１の契約条件を参照し、当該購読依頼のあった情報が登録されているか、条件を満たすかチェックし、情報が登録されておりかつ条件を満たすか、満たさないかを判別し、返答することが可能となる。
【００６７】
図３において、▲２▼の地域情報提供者抽出手段は、既述した図２のＳ１２の処理を実行するものであって、Ｓ４２からＳ４４の処理を行うものである。
【００６８】
Ｓ４２は、契約中の地域情報提供者の抽出を行う。これは、購読依頼したユーザの情報がユーザ管理ＤＢ１１の当該ユーザの契約条件中に登録、かつ契約条件を満たすと判明したので（Ｓ１０、Ｓ１１のＹＥＳ）、契約条件中に登録、かつ契約条件を満たす、地域情報提供者を全て抽出する。
【００６９】
Ｓ４３は、地域情報提供者があるか判別する。これは、Ｓ４２で地域情報提供者が抽出できたか判別する。ＹＥＳの場合には抽出できた地域情報提供者、ＮＯの場合には抽出できなかった旨を返答し、図１のＳ１３に進み、抽出できた地域情報提供者に広告配信依頼を通知して情報に広告を付加して配信を行い、一方、地域情報提供者を抽出できなかったときは広告の配信なしで情報のみの配信を行う。
【００７０】
以上によって、ユーザから購読依頼があったときに、上述した▲１▼でユーザ管理ＤＢ１１の契約条件を参照し、当該購読依頼のあった情報が登録されているか、条件を満たすかチェックし、情報が登録されておりかつ条件を満たすか、満たさないかを判別し、当該▲２▼で更に、▲１▼で条件を満たすときに、広告を提供する地域情報提供者を抽出することが可能となる。
【００７１】
図３において、▲３▼の広告契約条件チェック手段は、既述した図２のＳ１７の処理を実行するものであって、Ｓ５２からＳ５８の処理を行うものである。
【００７２】
Ｓ５２は、ユーザ認証を行う。これは、購読依頼したユーザの情報がユーザ管理ＤＢ２１の当該ユーザの個人情報中の例えばアカウント、パスワードに一致してユーザ認証がＯＫか判別する。
【００７３】
Ｓ５３は、登録ユーザか判別する。これは、Ｓ５２の判別の結果、ユーザ管理ＤＢ２１に登録されているユーザか判別する。ＹＥＳの場合には、Ｓ５４に進む。ＮＯの場合には、Ｓ５８のエラーに進む。
【００７４】
Ｓ５４は、条件を満たすか判別する。これは、ユーザの購読依頼が広告主の条件を満たすか判別する。例えばユーザの購読依頼が、地域情報提供者が管理する後述する図６の（ａ）の広告登録ＤＢに登録されている条件（配信条件）を満たすか判別、ここでは、購読依頼したユーザの個人情報（性別、年齢、趣味など）が広告の配信条件（配信対象（女性、年齢、趣味が料理、嗜好など））を満たすか判別する。ＹＥＳの場合には、Ｓ５６で配信日時のチェックを行う。これは、更に、配信条件のうちの配信日時、配信曜日をチェックする。
【００７５】
Ｓ５７は、Ｓ５６のチェックの結果、条件を満たすか判別する。ＹＥＳの場合にはＯＫを返信し、ＮＯの場合には、ＮＧを返信する。そして、既述した図２のＳ１８で条件を満たすか判別し、返信がＯＫのときはＳ１９で広告データを抽出し、Ｓ２１、Ｓ２２、Ｓ２３で情報に広告を付加（折込）してユーザに配信して購読し、一方、返信がＮＧのときは情報のみをユーザに配信して購読することが可能となる。
【００７６】
以上によって、ユーザから購読依頼があったときに、サーバ（地域情報提供者）２がユーザ管理ＤＢ２１および図６の（ａ）の広告登録ＤＢを参照し、当該ユーザに適切な広告を抽出し、情報（電子新聞）に折込広告として付加して配信することが可能となる。
【００７７】
図４は、本発明の動作説明フローチャート（その３）を示す。
図４において、▲４▼の情報配信手段は、既述した図２のＳ２２の処理を実行するものであって、Ｓ６２からＳ７５の処理を行う（あるいは行わせる）ものである。
【００７８】
Ｓ６２は、情報提供者の情報配信準備する。
Ｓ６３は、情報があるか判別する。これは、購読依頼したユーザの情報が、ユーザ管理ＤＢ１１に購読可能として登録されているか判別する。ＹＥＳの場合には情報を準備し、ＮＯの場合には情報なしとする。
【００７９】
Ｓ６４は、地域情報提供者の情報配信準備する。
Ｓ６５は、情報があるか判別する。これは、購読依頼したユーザの情報に、地域情報提供者の広告があるか判別する。ＹＥＳの場合には広告データを準備し、ＮＯの場合には広告データなしとする。
【００８０】
Ｓ６６は、ユーザ情報端末チェック手段３−１が以降のＳ６７からＳ７０の手順でユーザの情報端末３の情報（解像度、色数、表示形式（画面を上下あるいは左右に分割）など）に合わせて情報（情報と広告）を変更（編集）する。
【００８１】
Ｓ６７は、情報端末ＤＢを参照する。これは、図示外の情報端末ＤＢを参照し、当該購読依頼したユーザの情報端末３の情報（画面サイズ、色数、表示時の分割（上下、左右分割など））を参照する。
【００８２】
Ｓ６８は、参照できたか判別する。ＹＥＳの場合には、Ｓ６９で色数、画面サイズ、解像度などを取得し、Ｓ７０で提供する情報（情報と広告）を端末に合わせて変更（編集）する。ＮＯの場合には、デフォルトのままとする。
【００８３】
Ｓ７１は、参照回数計数手段３−２がＳ７２からＳ７５のの手順により広告を購読した回数を計数して累計数を更新する。
【００８４】
Ｓ７２は、情報参照回数を計上し、ユーザ参照回数計数ＤＢへ登録する。
Ｓ７３は、情報参照回数データを地域情報提供者へ送信する。
【００８５】
Ｓ７４は、情報参照回数データを情報提供者から受信する。
Ｓ７５は、情報参照回数データをユーザ参照情報計数ＤＢへ登録する。
【００８６】
Ｓ７６は、配信する。これにより、情報に広告を付加してユーザの情報端末３に配信し、ユーザは情報端末３の画面上に表示し、購読することが可能となる。
【００８７】
以上によって、情報と広告をユーザの情報端末３に最適に編集して配信すると共に広告の参照回数を登録（更新）することが可能となる。
【００８８】
図５は、本発明の動作説明フローチャート（その４）を示す。
図５において、▲５▼の配分手段は、Ｓ８２からＳ８４の手順により、広告の参照回数をもとに購読料を地域情報提供者に分配するものである。
【００８９】
Ｓ８２は、ユーザの地域情報参照回数計上データを集計する。これは、ユーザの購読依頼に対応して、情報に付加して配信した広告の参照回数を、各地域情報提供者毎（更に、必要に応じて広告毎）に集計する。
【００９０】
Ｓ８３は、集計結果に応じて、購読料を各地域情報提供者へ分配する。これは、各地域情報提供者が当該ユーザに配布した広告の参照回数（あるいは広告毎に加重を乗算した後の参照回数）の総和を集計し、当該集計した総和を応じて、ユーザの購読料を各地域情報提供者に分配する。
【００９１】
Ｓ８４は、地域情報提供者に分配する。
以上によって、ユーザが情報に付加されている広告を参照すると、参照回数に応じて当該ユーザの購読料を各地域情報提供者に分配することが可能となる。
【００９２】
図５において、▲６▼の自動配信手段は、Ｓ９２からＳ９６の手順により、広告を該当ユーザに自動配信するものである。
【００９３】
Ｓ９２は、配信条件を参照する。これは、例えば右側に記載した
・広告主の指定した
・日
・曜日
・時間
・趣味
【００９４】
・性別
・その他
を参照し、現在の日時、曜日をもとに該当する広告の配信条件があるかチェックする。
【００９５】
Ｓ９３は、あるか判別する。ＹＥＳの場合には、Ｓ９４に進む。ＮＯの場合には、終了する。
【００９６】
Ｓ９４は、配信条件に合うユーザをチェックする。これは、現在の日時、曜日に該当する広告の配信条件中の例えば趣味、性別などに合致するユーザ（図６の（ｂ）のユーザ管理ＤＢ２１中の性別、趣味、嗜好などの合致するユーザ）をチェックして抽出する。
【００９７】
Ｓ９５は、いるか判別する。ＹＥＳの場合には、Ｓ９６で地域情報配信依頼を送信し、既述した図２のＳ１９に進み、広告データを抽出し、該当ユーザに当該広告データを配信する。一方、Ｓ９５のＮＯの場合には、終了する。
【００９８】
以上によって、広告の配信条件を参照し、配信条件に合致するユーザに広告を自動配信することが可能となる。
【００９９】
図６は、本発明のデータ例を示す。
図６の（ａ）は、広告登録ＤＢの例を示す。広告登録ＤＢは、広告主が広告を登録したものであって、ここでは、図示の下記の情報を対応づけて登録したものである。
【０１００】
・広告依頼ＩＤ：
・広告主名：
・依頼日時：
・広告データ：
・配信条件：
・配信日時：
・配信曜日：
・配信対象：
・男女：
・年齢：
・趣味、嗜好：
・その他：
ここで、広告依頼ＩＤは広告依頼を受けた広告に付与した一意の番号である。広告主名は広告を依頼した広告主の名前である。依頼日時は広告を依頼した日時である。広告データは広告の電子データ（例えばスーパーのチラシ広告の電子データ）である。配信条件は広告を配信する条件であって、ここでは、配信日時、配信曜日、配信対象（男女、年齢、趣味、嗜好など）であり、これらに該当するときに配信するものである。
【０１０１】
以上のように、広告依頼ＩＤに対応づけて広告データ、配信条件を登録することにより、ユーザが情報を購読依頼したときあるいは自動的に配信条件に合うユーザに広告を配信することが可能となる。
【０１０２】
図６の（ｂ）は、ユーザ管理ＤＢの例を示す。ユーザ管理ＤＢ１１，２１は、ユーザの個人情報および契約条件を登録したものであって、ここでは、図示の下記の情報を対応づけて登録したものである。
【０１０３】
・ユーザＩＤ：
・アカウント：
・パスワード：
・名前：
・住所：
・性別：
・趣味・嗜好
・契約条件：
・その他
ここで、ユーザＩＤはユーザを一意に区別する識別子である。アカウント、パスワードはユーザを認証するアカウントとパスワードである。名前、住所、性別はユーザの名前、住所、性別である。趣味、嗜好はユーザの趣味、嗜好である。契約条件は、ユーザが地域情報提供者と契約した条件であって、ここでは、地域情報提供者名、契約情報（紙面）、契約期間、配信日時などを登録したものである。
【０１０４】
以上のように、ユーザＩＤに対応づけて個人情報（アカウント、パスワード、名前、住所、性別、趣味、嗜好など）および契約条件を登録することにより、ユーザの情報端末３から購読依頼があったときに、アカウントとパスワードでユーザ認証を行い、更に、個人情報および契約条件をもとに購読依頼のあった情報の登録の有無、更に、購読依頼のあった情報に付加する広告を決定し、情報あるいは情報に広告を付加して配信することが可能となる。
【０１０５】
図６の（ｃ）は、地域情報配信依頼データの例を示す。これは、購読依頼のあったユーザについて、図６の（ｂ）のユーザ管理ＤＢ１１を参照し、ユーザ認証がＯＫ，契約条件を満たす地域情報提供者が見つかったときに、サーバ（情報提供者）１が該当するサーバ（地域情報提供者）２に、地域情報配信依頼を行うときのデータで例であって、図示の下記の情報を対応付けたものである。
【０１０６】
・ユーザＩＤ：
・地域情報提供者：
ここで、ユーザＩＤはユーザ認証されたユーザＩＤであり、地域情報提供者は当該ユーザの契約条件をチェックして満たすと判明した広告を配信する（配信する可能性のある）地域情報提供者ＩＤである。
【０１０７】
図６の（ｄ）は、参照回数計数ＤＢの例を示す。参照回数計数ＤＢ１３は、広告をユーザに配信したときに広告毎に参照回数を計数して集計するものであって、ここでは、図示の下記の情報を対応付けて登録し、集計するものである。
【０１０８】
・広告依頼ＩＤ：
・地域情報提供者：
・アクセス回数：
・その他：
ここで、広告依頼ＩＤはユーザに広告を配信したときの当該広告の広告ＩＤである。地域情報提供者は広告依頼ＩＤの広告をユーザに配信した地域情報提供者である。アクセス回数（参照回数）はユーザに広告依頼ＩＤの広告を配信した回数である。
【０１０９】
図６の（ｅ）は、アクセスしたユーザのデータの例を示す。これは、ユーザがサーバ（情報提供者）１にアクセスしたときの当該ユーザのデータの例であって、ここでは、図示の下記の情報を対応づけたものである。
【０１１０】
・ユーザＩＤ：
・アカウント：
・情報端末条件：
・その他：
ここで、ユーザＩＤはユーザがサーバ（情報提供者）１にアクセスしてユーザ認証されたユーザＩＤであり、アカウントはユーザ認証されたときのアカウントであり、情報端末条件はユーザの情報端末３の条件（色数、解像度、画面サイズなど）である。
【０１１１】
図７は、本発明の説明図を示す。
図７の（ａ）は、情報提供者の情報、地域情報提供者の情報の配置例を示す。
これは、既述した図２のＳ２３でユーザの情報端末３の画面上に表示する配置例であって、情報提供者の情報（電子新聞）は上段に表示し、地域情報提供者の情報（広告）は下段の情報１，２，３，４のいずれかを選択して情報（広告）を表示させるようにしたものである。
【０１１２】
図７の（ｂ）は、ユーザの情報端末に合わせた情報変更例を示す。これは、ユーザの情報端末３の情報（解像度、色数、画面を上下あるいは左右分割など）に合わせて、サーバ（情報提供者）１で編集して配信するときの情報例を示したものであり、ここでは、図示の下記の情報についてユーザの情報端末３に合わせて変更（編集）するようにしている。
【０１１３】
・情報の文字サイズを変更
・情報の配置を変更
・画面割
・左右配置
・重ねて配置
・その他
・画面情報を変更
・色数
・サイズ
・明るさ／コントラスト
・その他
（付記１）
情報に広告を付加して配信する広告配信方法において、
顧客の端末からの情報の配信要求を受信するステップと、
前記受信した配信要求のあった顧客の条件に合う広告を抽出するステップと、
前記配信要求のあった情報に、前記抽出した広告を付加するステップと、
前記情報と当該情報に付加した広告を、前記顧客の端末に配信するステップとを有する広告配信方法。
【０１１４】
（付記２）
前記広告を抽出する条件として、日、曜日、時間帯、性別、年代、趣味のいずれか１つ以上としたことを特徴とする付記１記載の広告配信方法。
【０１１５】
（付記３）
前記受信した配信要求のあった顧客について、当該顧客が登録した地域情報提供者が複数あるときに、前記情報に付加して配信した広告の回数を集計し、購読料などの料金を当該回数をもとに地域情報提供者毎に分配することを特徴とする付記１あるいは付記２記載の広告配信方法。
【０１１６】
（付記４）
前記顧客の条件に合う広告について、指定されたときあるいは所定時間となったときに自動的に該当顧客に配信することを特徴とする付記１から付記３のいずれかに記載の広告配信方法。
【０１１７】
（付記５）
前記顧客の端末に配信する情報および広告について、当該顧客の登録されている表示形式に編集して配信することを特徴とする付記１から付記４のいずれかに記載の広告配信方法。
【０１１８】
（付記６）
コンピュータに、
顧客の端末からの情報の配信要求を受信するステップと、
前記受信した配信要求のあった顧客の条件に合う広告を抽出するステップと、
前記配信要求のあった情報に、前記抽出した広告を付加するステップと、
前記情報と当該情報に付加した広告を、前記顧客の端末に配信するステップとして動作させるための広告配信プログラム。
【０１１９】
【発明の効果】
以上説明したように、本発明によれば、顧客の情報端末３から情報配信サーバ１に配信要求があったときに当該顧客の契約条件に合う広告を抽出して情報に付加して提供したり、サーバ（地域情報提供者）２を各地域毎に設けて地域毎に広告を情報に付加して配信する構成を採用しているため、顧客毎に最適な広告を情報に付加して提供することが可能となると共に、地域毎に当該地域に適切な情報（広告）を該当ユーザに配信することが可能となる。
【図面の簡単な説明】
【図１】本発明のシステム構成図である。
【図２】本発明の動作説明フローチャート（その１）である。
【図３】本発明の動作説明フローチャート（その２）である。
【図４】本発明の動作説明フローチャート（その３）である。
【図５】本発明の動作説明フローチャート（その４）である。
【図６】本発明のデータ例である。
【図７】本発明の説明図である。
【符号の説明】
１：サーバ（情報提供者）
１１，２１：ユーザ管理ＤＢ
１２、２２：情報端末管理ＤＢ
１３：参照回数計数ＤＢ
１４：抽出手段
１５：契約条件チェック手段
１５’：地域情報提供者抽出手段
１６：ユーザ情報端末チェック手段
１７：情報配信手段
１８：配分手段
１９：参照回数計数手段
２：サーバ（地域情報提供者）
２３：広告契約条件チェック手段
２４：参照回数計数種だＳン
３：情報端末
【図１】
2005004620.tif 000003
【図２】
2005004620.tif 000004
【図３】
2005004620.tif 000005
【図４】
2005004620.tif 000006
【図５】
2005004620.tif 000007
【図６】
2005004620.tif 000008
【図７】
2005004620.tif 000009